(57)【要約】      （修正有）【課題】カメラマンに対して映像信号による指示によりカメラインカムに依らない指示を可能とし、収録映像にタイトルを付けることが可能な収録映像指示装置及びその装置の収録映像指示方法を提供する。【解決手段】指示モード選択部２０１と、テレビカメラからの映像信号を受信すると共に、テレビカメラに対して制御信号及び指示データを送出する無線送受信部２０６と、焦点調整用マーカを作成するマーカ作成部２０３と、カメラマンへの指示や撮像信号のタイトルを作成するテキスト作成部２０４と、絵コンテ作成部２０５と、テレビカメラからの撮像信号及び前記ビューファインダの表示画像信号による映像、及び指示データを表示する表示部２００と、モード選択部２０１に応じてマーカ作成部、テキスト作成部、及び絵コンテ作成部の何れかの指示データを選択し、該指示データを無線送受信部からテレビカメラへと送信する操作制御部２０２とを備える。【選択図】図１
2011035866.tif 000002
【特許請求の範囲】
【請求項１】
ビューファインダ、記録部及び無線によるインターフェースを有するテレビカメラに対して無線により指示する収録映像指示装置であって、
撮影を支援する指示モードを選択する指示モード選択手段と、
前記テレビカメラからの映像信号や前記ビューファインダの表示画像信号を受信すると共に、前記テレビカメラに対して制御信号及び画像による指示データを送出する無線送受信手段と、
焦点調整用マーカを作成するマーカ作成手段と、
カメラマンへの指示や収録する撮像信号のタイトルを作成するテキスト作成手段と、
絵コンテを作成する絵コンテ作成手段と、
前記テレビカメラからの撮像信号及び前記ビューファインダの表示画像信号による映像信号、及び前記作成手段で作成した指示データを表示する表示手段と、
前記指示モード選択手段に応じて前記マーカ作成手段、前記テキスト作成手段、及び前記絵コンテ作成手段の何れかの指示データを選択し、該指示データを前記無線送信受信手段から前記テレビカメラへと送信する操作制御手段とを備えた
ことを特徴とする収録映像指示装置。
【請求項２】
ビューファインダ、記録部及び無線によるインターフェースを有するテレビカメラに対し、指示モード選択手段、マーカ作成手段、テキスト作成手段、絵コンテ作成手段、表示手段、及び操作制御手段とを有し、前記テレビカメラへ無線により指示する収録映像指示装置の収録映像指示方法であって、
前記操作制御手段が、前記指示モード選択手段による選択が焦点調整用マーカであるか否かを検出し、その結果が前記焦点調整用マーカである場合にマーカ指示データを設定するマーカ処理ステップ、
前記指示モード選択手段による選択がテキスト作成であるか否かを検出し、その結果が前記テキスト作成である場合にテキスト指示データを設定するテキスト処理ステップ、
前記指示モード選択手段による選択が絵コンテ作成であるか否かを検出し、その結果が前記絵コンテ作成である場合に絵コンテ指示データを設定する絵コンテ処理ステップ、
及び、前記指示モード選択手段が選択し設定した前記指示データを前記テレビカメラへと送信する送信ステップを有することを特徴とする収録映像指示装置の収録映像指示方法。
【請求項３】
請求項２に記載の収録映像指示装置の指示方法であって、
前記マーカ処理ステップは、
前記表示手段にボックスカーソルを表示する第１のステップと、
前記ボックスカーソルの表示位置を修正する第２のステップと、
前記第２のステップが終了したか否かを検出する第３のステップと、
前記第３のステップが終了を検出し前記マーカ指示データの送信データを作成する第４のステップとを有することを特徴とする収録映像指示装置の指示方法。
【請求項４】
請求項２に記載の収録映像指示装置の指示方法であって、
前記テキスト処理ステップは、
前記表示手段にテキストダイアログボックスを表示する第１のステップと、
文字データを入力し前記テキストダイアログボックス内に表示する第２のステップと、
前記テキストダイアログボックス内の文字クリア項目が選択されたか否かを検出した後、本線記録に前記文字データをセットする第３のステップと、
前記文字データの前記テキストダイアログボックス内の送信項目が選択されたか否かを検出し、選択されたときに前記入力した文字データをグラフィック変換する第４のステップとを有することを特徴とする収録映像指示装置の指示方法。
【請求項５】
請求項２に記載収録映像指示装置の指示方法であって、
前記絵コンテ処理ステップは、
前記表示手段に絵コンテダイアログボックスを表示する第１のステップと、
前記絵コンテダイアログボックス内の複数の絵コンテビットマップから一つのビットマップを選択する第２のステップと、
前記選択されたビットマップを前記ダイアログボックスに表示する第３のステップと、
前記表示したビットマップを撮像画像に混合したときの映像レベルを設定する第４のステップと、
前記絵コンテダイアログボックス内の絵コンテクリア項目が選択されたか否かを検出し、絵コンテクリア項目が選択されたときに表示を消去する第５のステップと、
前記絵コンテダイアログボックス内の送信項目が選択されたか否かを検出する第６のステップとを有することを特徴とする収録映像指示装置の指示方法。
【発明の詳細な説明】
【技術分野】
【０００１】
本発明は、テレビカメラによる映像収録に際し、テレビカメラを操作するカメラマンに対して映像信号で指示することができる収録映像指示装置及びその収録映像指示方法に関する。
【背景技術】
【０００２】
従来、ニュース等の取材やドラマロケではＶＴＲ一体型のテレビカメラで撮影し収録する。テレビカメラでの映像収録に際し、カメラマンは台本に基づいて収録したり、或いはカメラインカムなどを通してディレクタからの音声による指示を受けてテレビカメラをパンやチルトして撮影し収録を行っている。
【０００３】
また、どのような収録映像が撮影されたかは、収録後にテレビカメラに装着した記録媒体を取り出して収録映像を確認しており、撮影時点ではどのような映像が記録されているかはカメラマン以外には判らないこともあって、時には、収録映像を再生するとフォーカスが合っていないといった問題が発生する場合があった。また、収録映像にタイトルを付ける場合、タイトル画を作成してそのタイトル画を撮像することにより収録映像にタイトルを付けることが行われていた。タイトル画はそのためのボードなどでその収録毎に作成しなければならず煩わしいものであった。
【０００４】
カメラインカムによる音声による指示では、上記のような課題があり、この問題点を改善した従来のテレビカメラとして、本出願人による撮像装置に係る出願がある。図９を参照し、従来の撮像装置について説明する。図９において、テレビカメラ（撮像装置）１には撮影レンズ３が装着され、各種操作スイッチが設けられたカメラ筐体２にはマイク４とビューファインダ５が設けられ、カメラ筐体２の後方部に設けられたスロット６にワイヤレスレシーバー（無線通信装置）７が装着され、ハンドグリップ８、肩パッド９及びスピーカ１０等が設けられている。このテレビカメラ１では、ワイヤレスマイクチューナ７を使用し、ディレクタ側の無線通信装置と送受信を行って、カメラマンはディレクタから音声により指示を受け、所謂カメラインカムを用いて無線通信を行いながら撮影を行う。また、テレビカメラ１で得られた映像信号は、記録装置に記録すると同時にワイヤレスマイクチューナ７により伝送される。
【先行技術文献】
【特許文献】
【０００５】
【特許文献１】特開平１１ー１７９９４号公報（図１，図２）
【発明の概要】
【発明が解決しようとする課題】
【０００６】
従来のテレビカメラでは、上述のように収録にはディレクタからの指示をカメラインカムを通して受けて取材対象を撮像し収録している。しかし、ノイズが大きい雑踏や工事現場、災害現場などの環境での取材ではカメラインカムを通しての指示内容が聞き取り難く、また、音楽録音などの音を立てることができない現場では取材中にカメラインカムによる会話ができない場合もあった。また、記録した映像信号にタイトルを付ける場合でも上述のようにタイトル画の基となるボードに手描きで作成する必要があり、緊急の場合には対応できない場合があった。
【０００７】
本発明は、上記課題に鑑みてなされたものであり、撮像信号を収録するカメラマンに対して映像信号による指示によりカメラインカムに依らない指示を可能とし、また、タイトル画を作成しなくても収録映像にタイトルを付けることが可能な収録映像指示装置及びその収録映像指示方法を提供することを目的とする。
【課題を解決するための手段】
【０００８】
本発明は、上記課題を達成したものであり、請求項１の発明は、ビューファインダ、記録部及び無線によるインターフェースを有するテレビカメラに対して無線により指示する収録映像指示装置であって、
撮影を支援する指示モードを選択する指示モード選択手段と、
前記テレビカメラからの映像信号や前記ビューファインダの表示画像信号を受信すると共に、前記テレビカメラに対して制御信号及び画像による指示データを送出する無線送受信手段と、
焦点調整用マーカを作成するマーカ作成手段と、
カメラマンへの指示や収録する撮像信号のタイトルを作成するテキスト作成手段と、
絵コンテを作成する絵コンテ作成手段と、
前記テレビカメラからの撮像信号及び前記ビューファインダの表示画像信号による映像信号、及び前記作成手段で作成した指示データを表示する表示手段と、
前記指示モード選択手段に応じて前記マーカ作成手段、前記テキスト作成手段、及び前記絵コンテ作成手段の何れかの指示データを選択し、該指示データを前記無線送信受信手段から前記テレビカメラへと送信する操作制御手段とを備えた
ことを特徴とする収録映像指示装置である。
【０００９】
また、請求項２の発明は、ビューファインダ、記録部及び無線によるインターフェースを有するテレビカメラに対し、指示モード選択手段、マーカ作成手段、テキスト作成手段、絵コンテ作成手段、表示手段、及び操作制御手段とを有し、前記テレビカメラへ無線により指示する収録映像指示装置の収録映像指示方法であって、
前記操作制御手段が、前記指示モード選択手段による選択が焦点調整用マーカであるか否かを検出し、その結果が前記焦点調整用マーカである場合にマーカ指示データを設定するマーカ処理ステップ、
前記指示モード選択手段による選択がテキスト作成であるか否かを検出し、その結果が前記テキスト作成である場合にテキスト指示データを設定するテキスト処理ステップ、
前記指示モード選択手段による選択が絵コンテ作成であるか否かを検出し、その結果が前記絵コンテ作成である場合に絵コンテ指示データを設定する絵コンテ処理ステップ、
及び、前記指示モード選択手段が選択し設定した前記指示データを前記テレビカメラへと送信する送信ステップを有することを特徴とする収録映像指示装置の収録映像指示方法である。
【００１０】
また、請求項３の発明は、請求項２に記載の収録映像指示装置の指示方法であって、
前記マーカ処理ステップは、
前記表示手段にボックスカーソルを表示する第１のステップと、
前記ボックスカーソルの表示位置を修正する第２のステップと、
前記第２のステップが終了したか否かを検出する第３のステップと、
前記第３のステップが終了を検出し前記マーカ指示データの送信データを作成する第４のステップとを有することを特徴とする収録映像指示装置の指示方法である。
【００１１】
また、請求項４の発明は、請求項２に記載の収録映像指示装置の指示方法であって、
前記テキスト処理ステップは、
前記表示手段にテキストダイアログボックスを表示する第１のステップと、
文字データを入力し前記テキストダイアログボックス内に表示する第２のステップと、
前記テキストダイアログボックス内の文字クリア項目が選択されたか否かを検出した後、本線記録に前記文字データをセットする第３のステップと、
前記文字データの前記テキストダイアログボックス内の送信項目が選択されたか否かを検出し、選択されたときに前記入力した文字データをグラフィック変換する第４のステップとを有することを特徴とする収録映像指示装置の指示方法である。
【００１２】
また、請求項５の発明は、請求項２に記載収録映像指示装置の指示方法であって、
前記絵コンテ処理ステップは、
前記表示手段に絵コンテダイアログボックスを表示する第１のステップと、
前記絵コンテダイアログボックス内の複数の絵コンテビットマップから一つのビットマップを選択する第２のステップと、
前記選択されたビットマップを前記ダイアログボックスに表示する第３のステップと、
前記表示したビットマップを撮像画像に混合したときの映像レベルを設定する第４のステップと、
前記絵コンテダイアログボックス内の絵コンテクリア項目が選択されたか否かを検出し、絵コンテクリア項目が選択されたときに表示を消去する第５のステップと、
前記絵コンテダイアログボックス内の送信項目が選択されたか否かを検出する第６のステップとを有することを特徴とする収録映像指示装置の指示方法である。
【発明の効果】
【００１３】
請求項１の発明によれば、ディレクタがニュース取材等に当たりカメラマンに対して行う指示を、マーカ、テキスト文や絵コンテ等による映像により行うことが可能になり、カメラインカムに依存することなく指示することが可能になり、雑音の激しい取材現場や音を発生することができない取材現場であっても指示通りの撮影が可能となる利点がある。また、テレビカメラからの撮像信号を無線で送信して表示手段に表示することによって、ディレクタがカメラマンの撮像を監視することが可能であり、撮り直しが発生しない収録が可能になり、映像作品の品質が向上するし、取材対象の確実な収録ができる効果を有する。
【００１４】
さらに、撮影の指示データがテキスト文、マーカ、及び絵コンテといったモード別の処理としたことによって、指示項目を追加する場合にもその追加分のみの指示データを加えるだけで容易にシステムを構築することができる利点がある。
【００１５】
請求項２の発明によれば、モードの選択により個別にその処理を実行することが可能となるため、個々の処理を短時間で終了して次の処理を行うことができる効果を有する。
【００１６】
請求項３の発明によれば、カメラマンに対して外部から焦点マーカを作成してテレビカメラの表示部に表示することが可能であり、カメラマンは焦点マーカを参照しピント合わせが可能であり、確実な収録映像を得ることができる効果を有する。
【００１７】
請求項４の発明によれば、文字によるカメラマンへの指示が外部から可能となり、また、本線表示をセットすることにより収録映像のタイトルとして使用できるので中身を見るだけでタイトルの確認ができ、タイトル部分にタグを付けて記録すれば検索用としても使用できる効果を有する。また、入力文字をグラフィク変換して送信することによりカメラ側でその文字に対するフォントが不要となるためシステム全体としてコンパクトに構成できる。
【００１８】
請求項５の発明によれば、画面の割り付けをするめの絵コンテのビットマップを送信することによりカメラマンはその絵コンテに合わせて撮像すればよいのでカメラ操作が簡単になる効果を有する。
【図面の簡単な説明】
【００１９】
【図１】テレビカメラと本発明の収録映像指示装置とのブロック図である。
【図２】本実施例の操作制御部の総合フローチャートである。
【図３】本実施例におけるマーカ処理のフローチャートである。
【図４】本実施例におけるテキスト処理のフローチャートである。
【図５】本実施例における絵コンテ処理のフローチャートである。
【図６】本実施例におけるマーカ処理の説明図である。
【図７】本実施例におけるテキスト処理の説明図である。
【図８】本実施例における絵コンテ処理の説明図である。
【図９】従来の撮像装置を示す外観図である。
【発明を実施するための形態】
【００２０】
以下、本発明の収録映像指示装置及びその指示方法の一実施例について図１を参照し説明する。先ず、図１を参照しテレビカメラ１と、テレビカメラ１と送受信を行う本発明に係る収録映像指示装置２の実施例について説明する。テレビカメラ１は、撮像部１００、記録部（記録媒体を含む）１０１、カメラ表示部（ＶＦ：ビューファインダ）１０２、カメラ制御部１０３、操作パネル１０４、無線Ｉ／Ｆ部１０５、及び入出力端子１０６からなる。続いて、テレビカメラ１の各部を詳細に説明すると、撮像部１００はレンズ（図示なし）を通して入射して得られる撮像信号を光電変換して映像信号とし記録部１０１に出力する。記録部１０１は撮像部１００からの映像出力を記録媒体に記録する。この記録媒体としてはフラッシュメモリを使用する。カメラ表示部１０２は記録部１０１で記録中の映像信号、マイクロフォンがある場合にはマイクロフォンの入力レベルなどを表示する。または、テレビカメラ１を操作する際のステイタス、例えば電池の残量などを表示する。これらの表示は光学用ＶＦ（ＶＦ：ビューファインダ）１０２に表示してもよい。カメラ制御部１０３はテレビカメラ内部のこれら全ての構成部を制御する。操作パネル１０４には撮像や記録に関するスイッチが画像として配列されており、これらのスイッチをカメラマンが操作する。無線Ｉ／Ｆ部１０５は収録映像指示装置２と送受信を行う無線インターフェイス回路である。無線Ｉ／Ｆ部１０５は無線送受信機であり、例えば、Ｂｌｕｅｔｏｏｔｈ（登録商標）を使用してもよい。入出力端子１０６は無線信号の入出力端子である。
【００２１】
本実施例の収録映像指示装置２は、表示部（表示手段）２００、モード選択部（モード選択手段）２０１、ＣＰＵ（中央処理装置）からなる操作制御部（操作制御手段）２０２、マーカ作成部（マーカ作成手段）２０３、テキスト作成部（テキスト作成手段）２０４、絵コンテ作成部（絵コンテ作成手段）２０５、無線インターフェイス回路である無線Ｉ／Ｆ部（無線送受信手段）２０６、入出力端子２０７からなる。表示部２００はテレビカメラ１から送信されてくる映像信号の表示や操作制御部２０２で作成するマーカやダイアログボックスを表示する。モード選択部２０１は指示モードを選択する。操作制御部２０２は表示部２００との表示に関する制御を行ったり、モード選択部２０１に関する選択制御、マーカ作成部２０３、テキスト作成部２０４及び絵コンテ作成部２０５からの指示データを作成するための操作や無線Ｉ／Ｆ部２０６の通信制御を行う。マーカ作成部２０３は焦点調整用マーカを作成する。テキスト作成部２０４はカメラマンに対する指示データや記録映像のタイトルなどを作成する。絵コンテ作成部２０５はカメラマンへの指示データである絵コンテによる絵コンテデータをビットマップ形式により作成する。無線Ｉ／Ｆ部２０６は無線送受信機であり、一例としてテレビカメラ１と同様のＢｌｕｅｔｏｏｔｈ（登録商標）の無線インターフェイス回路が使用され、収録映像指示装置２で作成された指示データは入出力端子２０７を経てテレビカメラ１へと送信される。
【００２２】
次に、本発明の実施例について図２〜図８を参照し説明する。図２のフローチャートを参照し操作制御部２０２における処理フローについて説明する。先ず、操作制御部２０２には、プログラミングされた制御機能を有しおり、各制御機能としては、指示モード選択手段、マーカを検出し設定処理するマーカ処理手段、テキスト文を検出し設定処理するテキスト処理手段、及び絵コンテを検出し設定処理する絵コンテ処理手段が設けられている。収録映像指示装置２は、カメラマンが操作するテレビカメラ１に対してディレクタからマーカ、テキスト文、絵コンテによる指示項目（指示データ）を送信データとして送信する。カメラマンは、これらの指示データを、図１に示すテレビカメラ１の入出力端子１０６を介して無線Ｉ／Ｆ部１０５で受け、カメラ表示部（ビューファインダ）１０２に表示される指示データに基づいて取材現場等の収録を行う。カメラマンの撮影した映像は、無線Ｉ／Ｆ部１０５から入出力端子１０６を通して送信され、収録映像指示装置２の入力端子２０７を介して無線Ｉ／Ｆ部２０６で受信して表示部２００に表示される。ディレクイタは表示部２００の画像から収録状況を把握することができる。
【００２３】
続いて、操作制御部２０２における指示データ（マーカ、テキスト文、絵コンテによる指示項目）の送信の制御手順について説明する。先ず、指示モード選択手段にて、ステップＳ２１においてモード選択部２０１の選択がマーカ処理か否かを検出し、マーカ処理を検出した場合、ステップＳ２２に進み、マーカ処理ではない場合、ステップＳ２３へ進む。ステップＳ２２ではマーカ処理手段にてマーカ処理が行われる。マーカ処理手段の詳細は図３及び図６を参照し後述する。
【００２４】
ステップＳ２３は、指示モード選択手段にてモード選択部２０１の選択がテキスト処理か否かを検出する。テキスト処理であるならばステップＳ２４に進み、テキスト処理でないと判定した場合、ステップＳ２５に進む。ステップＳ２４ではテキスト処理手段にてテキスト処理を行う。テキスト処理手段の詳細は図４及び図７を参照し後述する。
【００２５】
ステップＳ２５は、指示モード選択手段にてモード選択部２０１の選択が絵コンテ処理か否かを検出する。絵コンテ処理であると検出した場合、ステップＳ２６に進み、絵コンテ処理をした後、ステップＳ２７に進む。ステップＳ２５において、絵コンテ処理でないと判定した場合、この処理フローを終了する。ステップＳ２６では絵コンテ処理手段にて絵コンテ処理を行う。絵コンテ処理手段の詳細は図５および図８を参照し後述する。
【００２６】
ステップＳ２７は設定した指示データを無線送受信手段２０６にて送信処理するステップであり、マーカ処理手段、テキスト処理手段、及び絵コンテ処理手段による指示データが選択的に記憶部にセットされており、セットされたマーカ、テキスト文、或いは絵コンテによる指示データがステップＳ２７にて送信デ−タとして無線Ｉ／Ｆ部２０６からテレビカメラ１へと送信される。
【００２７】
次に、上記ステップＳ２２におけるマーカ処理手段によるマーカ処理ステップについて、図３及び図６（ａ）〜（ｅ）を参照し説明する。図３はステップＳ３１〜Ｓ３４によるマーカ処理手段を示している。図６（ａ）に示した表示部２００の表示画面Ａの「ＭＡＲＫＥＲ」釦Ｂ１を操作することによって、図２の処理フローの指示モード選択手段にて、マーカ処理と検出、図３のステップＳ３１に進む。ステップＳ３１では、表示部２００の表示画面ＡにボックスカーソルＢを表示し、ステップＳ３２に進む。一方、表示部２００には、テレビカメラ１のカメラ表示部又はビューファインダ１０２に表示された映像がテレビカメラ１から送信されて表示部２００の表示画面Ａに表示される。
【００２８】
ステップＳ３２では、焦点を合わせる映像の位置を指示すべく、ボックスカーソルＢの表示位置を修正し、ステップＳ３２に進む。なお、ボックスカーソルＢの表示位置の修正は、例えばパソコンで使用するマウスを用いても良いし、又は矢印で移動させてもよい。ステップＳ３２におけるカーソルの表示位置の修正後、ステップＳ３３に進む。ステップＳ３３において、ボックスカーソルＢの表示位置の修正が完了したか否かを検出する。完了したか否かはマウスならばクリックを使用し、矢印ならば特定のキーで終了を検出する。ステップＳ３３が終了すればステップＳ３４へ進み、終了しなければ、ステップＳ３２へ戻り、再度ボックスカーソルＢの表示位置の修正を行う。ステップＳ３４はボックスカーソルＢによる指示データの送信データを作成し、この送信データを設定し、図３の処理フローを終了する。
【００２９】
このマーカ処理ステップの送信データは、ボックスカーソルＢの表示位置データを含み、図２のステップＳ２８にて送信処理をしたとすると、この表示位置データはテレビカメラ１の無線Ｉ／Ｆ部１０５で受信され、ビューファインダ（ＶＦ）１０２に一定時間表示される。表示位置データがテレビカメラ１に一定時間表示されると同時に、この表示位置データがテレビカメラ１から送信され、収録映像指示装置２の無線Ｉ／Ｆ部２０６にて受信されて表示部２００に表示され、テレビカメラ１側での指示データの内容を収録映像指示装置２で確認することができる。
【００３０】
収録映像指示装置２は、図６（ａ）〜（ｅ）に図示したように、表示部２００の表示画面Ａの任意の表示位置にマーカであるボックスカーソルＢを表示し、無線によりテレビカメラ１のビューファインダ１０２に表示したり、所定時間後にボックスカーソルＢを消去したり、再び異なった位置にボックスカーソルＢを表示することができる。
【００３１】
図６（ａ）〜（ｅ）を参照しボックスカーソルＢの表示について詳細に説明すると、表示部２００には、その表示画面Ａに図６（ａ）のボックスカーソルＢが重畳されて表示される。このボックスカーソルＢは主に焦点調整用マーカであり、この焦点調整用マーカ（ボックスカーソルＢ）を表示し、カメラマンに対して焦点を合わせるように指示することができる。テレビカメラ１のカメラ表示部又はビューファインダ１０２では、ボックスカーソルＢが図６（ｂ）のように表示される。テレビカメラ１の焦点が合っていない場合、表示部２００には図６（ｃ）のようにボックスカーソルＢが二重に表示される。また、一定時間が経過すると、テレビカメラ１側のカメラ表示部又はビューファインダ１０２ではボックスカーソルＢが図６（ｄ）のように消去される。テレビカメラ１の焦点が合っている場合、ボックスカーソルＢは一重となる。また、再度、表示部２００では図６（ｅ）のようにボックスカーソルＢの表示位置を変えることができる。このように収録映像指示装置２はテレビカメラ１による撮影を離れた位置からリモートアシストすることができる。
【００３２】
次に、テキスト処理手段によるステップＳ２４のテキスト処理ステップについて、図４及び図７（ａ）〜（ｅ）を参照し説明する。テキスト処理手段は図４のステップＳ４１〜Ｓ４８からなる。図７（ａ）のように表示画面Ａの「テキスト」釦Ｂ２を操作したことを図２の総合フローチャートのステップＳ２３にて検出すると、ステップＳ４１では、図７（ｂ），（ｄ）において、テキスト文が表示していないテキストダイアログボックスＴが表示される。ステップＳ４２において、テキスト文字「カラー２秒後に記録開始」又は「５月２０日事故現場にて」を入力すると、テキストダイアログボックスＴにこれらのテキスト文字が入力される。これらの文字入力はキーボードで行う。
【００３３】
ステップＳ４３は、テキストダイアログボックスＴの「ＣＬＥＡＲ」釦Ｂ５がオンされたか否かを検出する。ステップＳ４３において「ＣＬＥＡＲ」釦Ｂ５がオンの場合、ステップＳ４４へ進み、テキスト文による入力文字を消去する。また、ステップＳ４３において「ＣＬＥＡＲ」釦Ｂ５がオフの場合、ステップＳ４５へ進み、ＬＩＮＥをオンするか否かを検出する。ＬＩＮＥとは本線信号を意味し、指示データを記録媒体に記録するラインである。ステップＳ４５においてＬＩＮＥオンの場合にはステップＳ４６へ進み、本線へ記録するためのデータを記憶部（図示無し）にセットする。即ち、ステップＳ４６では、例えば、図７（ｄ）に示した「５月２０日事故現場にて」の文字が本線にセットされる。また、ステップＳ４５においてＬＩＮＥオフの場合は、例えば、「５月２０日事故現場にて」をセットすることなく、ステップＳ４７へ進む。なお、図７（ｂ）の「カラーバー２秒後に記録開始」はカメラマンに対する指示であり、図７（ｃ）のように表示のみでよく、テレビカメラ１の記録媒体に記録する必要がなく表示のみでよいので、ステップＳ４５ではＬＩＮＥオフとしてステップＳ４７に進む。また、図７（ｄ）の「５月２０日事故現場にて」は、取材現場のタイトルとして利用することができるので、「５月２０日事故現場にて」は、図７（ｅ）の表示例のようにビューファインダ１０２に表示するとともに、ステップＳ４５にて、ＬＩＮＥオンとし本線へ送信するべく、記録部にセットする。
【００３４】
ステップＳ４７はステップＳ４７でセットしたテキスト文の指示データをテレビカメラ１へ送信するかどうかを検出する。即ち、文字入力を終わりにするかどうかを検出する。「ＳＥＮＤ」釦Ｂ４がオンの場合はステップＳ４８へ進み、「ＳＥＮＤ」釦Ｂ４がオフの場合はステップＳ４２へ進み文字入力を再度行う。ステップＳ４８ではセットされた入力文字をグラフィック変換する。テレビカメラ１には文字フォントがないので文字データを送っても表示できない。そのため、グラフィック変換を行って送信することによりテレビカメラ側での処理を軽減する。
【００３５】
以上でテキスト処理ステップは終了となり、総合フローチャートに戻ると、セットされた送信データが、図２のステップＳ２７にて送信され、テレビカメラ１側のカメラ表示部又はビューファインダ１０２には図７（ｃ），（ｅ）の表示画面が表示される。図７（ｅ）のタイトルの入力文字は、テレビカメラ１の記録媒体に記録される。記録する時間は数秒で元の撮像画像に切り換わる。また、図７（ｂ）のカメラマンに対する撮影のための指示データはテレビカメラ１の記録媒体に記録されることはない。
【００３６】
最後に、図２のステップＳ２６の絵コンテ処理ステップについて、図５及び図８を参照して説明する。図５はステップＳ５１〜Ｓ５７からなる絵コンテ処理手段を示している。図５において、図６（ａ）の表示画面Ａの「絵コンテ」釦Ｂ３を操作すると、図５のステップＳ５１に進み、図８の絵コンテダイアログボックスＰ（絵コンテｐ１は表示されていない）を表示する。ステップＳ５２は絵コンテダイアログボックスＰ内のビットマップ形式のメモリを選択する。メモリとは図８の左側にある拡張子がｂｍｐで表示されているものである。このメモリには、ビットマップ形式の絵コンテが記憶されている。このビットマップによる絵コンテは台本に基づいて前もって作成したものである。図８では「１０００００１．ｂｍｐ」を選択する。
【００３７】
ステップＳ５３では選択されたビットマップの絵コンテＰ１をダイアログボックスＰの真ん中に表示し、ステップＳ５４に進む。ステップＳ５４では、ブレンドレベルＬを設定しステップＳ５５に進む。なお、ブレンドレベルＬとは混合したときの線の濃さを表示するものであり、このブレンドレベルＬをテレビカメラ１側へ送信し、テレビカメラ１側では、ＲＧＢレベルを調整することにより適切な表示を行う。ステップＳ５５ではダイアログボックスＰの「ＣＬＥＡＲ」釦Ｂ６がオンされたか否かを検出する。「ＣＬＥＡＲ」釦Ｂ６は絵コンテの消去である。「ＣＬＥＡＲ」釦Ｂ６がオンであればステップＳ５６へ進み、オフであればステップＳ５７へ進む。
【００３８】
ステップＳ５６では表示した絵コンテをクリアする。ダイアログボックスＰの「ＳＥＮＤ」釦Ｂ７を操作したか否かをステップＳ５７にて、絵コンテＰ１を送信するかどうかを検出する。即ち、絵コンテ入力を終わりにするかどうかを検出する。「ＳＥＮＤ」釦Ｂ７がオンの場合はこの処理を終了し、「ＳＥＮＤ」釦Ｂ７がオフの場合はステップＳ５２へ進み絵コンテ入力を再度行う。この後、図２の総合フローチャートに戻り、図１のステップＳ２７にて、テレビカメラ１に対して指示データである絵コンテデータを送信する。送信された絵コンテＰ１は撮像画像と混合されてビューファインダ１０２にて表示する。ビューファインダ１０２へ表示されると、その表示画像が収録映像指示装置２へ送信されてくるので、ブレンドレベルが適切なレベルがどうか確認することができる。不適切な場合は指示モードを選択してやり直す。
【００３９】
なお、本発明の実施例は収録映像指示装置を図１に示す構成としたが、種々の変形例が実施可能であり、上記実施例に限定するものではなく、例えば、汎用のパソコンでも実施が可能である。
【００４０】
また、図１では、指示モード選択部についても別構成としたが、図６のように画面下にモードを表示して選択する構成とすることも可能であり、種々の変形例が実施可能である。また、無線Ｉ／Ｆ部はＢｌｕｅｔｏｏｔｈ（登録商標）が安価に構成できるので、収録映像指示装置を廉価なものとすることができる。
【産業上の利用可能性】
【００４１】
本発明は、ニュース取材などに使用する収録用テレビカメラと一体として利用することにより種々の撮影環境に対応できる収録映像指示装置として利用することができる。
【符号の説明】
【００４２】
１  テレビカメラ（撮像装置）
２  収録映像指示装置
１００  撮像部
１０１  記録部
１０２  カメラ表示部（ビューファインダ）
１０３  カメラ制御部
１０４  操作パネル
１０５  無線Ｉ／Ｆ部（無線送受信部）
１０６  入出力端子
２００  表示部
２０１  モード選択部
２０２  操作制御部
２０３  マーカ作成部
２０４  テキスト作成部
２０５  絵コンテ処理部
２０６  無線Ｉ／Ｆ部（無線送受信部）
２０７  入出力端子
【図１】
2011035866.tif 000003
【図２】
2011035866.tif 000004
【図３】
2011035866.tif 000005
【図４】
2011035866.tif 000006
【図５】
2011035866.tif 000007
【図８】
2011035866.tif 000008
【図９】
2011035866.tif 000009
【図６】
2011035866.tif 000010
【図７】
2011035866.tif 000011